(57)【特許請求の範囲】
【請求項１】
少なくとも下端部が水中に浸かった状態で設置された保護管内に投入して水位を検出する検出部を有する本体と、前記検出部からの信号を伝達すべく前記本体に接続されるケーブルとを備えた投げ込み式水位計を保護するための投げ込み式水位計の保護具であって、
前記本体を収容すべく一端に開口を備え、該開口から前記本体を挿入して収容すべく該本体の投入方向一端から他端の全長に亘る長さに構成され、かつ、水中への投入時に水の浸入を許容するように構成された収容部と、該収容部の長さ方向両端部のそれぞれに設けられ、該両端部から前記本体が収容部外へ移動することを阻止するための阻止部とを備えた投げ込み式水位計の保護具。
【請求項２】
前記収容部が、本体の投入方向に長く、かつ、周方向に所定間隔を置いて配置される複数の長尺部材と、該複数の長尺部材を周方向で連結し、かつ、前記本体の収容を許容する大きさに構成されたリング部材とから構成されていることを特徴とする請求項１に記載の投げ込み式水位計の保護具。
【請求項３】
前記リング部材が、前記複数の長尺部材をそれらの長さ方向両端部でそれぞれ連結する端部用リング部材と、前記複数の長尺部材をそれらの長さ方向中間部で連結する中間部用リング部材とを備え、前記一方の阻止部が、前記一方の端部用リング部材に設けられ該一方の端部用リング部材の径方向内側に突出して前記収容される本体の一端部を受け止める受止部材からなり、前記他方の阻止部が、前記他方の端部用リング部材の内面に取り付けて前記収容される本体が前記収容部外へ移動しないように該リング部材の内径を小さくする取り外し可能な縮径部材からなることを特徴とする請求項２に記載の投げ込み式水位計の保護具。
【請求項４】
前記本体のケーブル側端部の外径が、他の部分の外径よりも大きな寸法を有するように構成されており、前記本体を収容すべく前記各長尺部材における前記本体のケーブル側端部に対応する部分に内側に切欠かれた切欠部を備えていることを特徴とする請求項２又は３に記載の投げ込み式水位計の保護具。
【発明の詳細な説明】
【技術分野】
【０００１】
本発明は、例えば原子力発電所の取水槽内の水位や、河川や貯水池の他、ダムの水位を測るために使用される水位計を保護するための投げ込み式水位計の保護具に関する。
【背景技術】
【０００２】
上記投げ込み式水位計は、円筒状の保持体の下部に水位を検出するための上下方向に高さが異なるように配置された多数の水位検出部と、保持体の上部の外面に外側に突出するように周方向に間隔を置いて配置された４つの板状の案内部材とを備えている。このように案内部材を設けているので、下端部が水中に浸かった状態で設置されている保護管内に投げ込み式水位計を投入するときにおいて、水位計を保護管の内壁に当接することなく案内するようにしている（例えば、特許文献１参照）。
【先行技術文献】
【特許文献】
【０００３】
【特許文献１】特開２００１−２７５６１号公報
【発明の概要】
【発明が解決しようとする課題】
【０００４】
しかしながら、上記構成の投げ込み式水位計では、案内部材が保持体の上部にのみ設けられている構成であるため、水位計を保護管内に投入しているときに、保持体が不測に傾動して保持体の下部が保護管の内壁に当接してしまい、水位計を損傷してしまうことがあった。
【０００５】
また、投げ込み式水位計を保護管に投入した後において、投げ込み式水位計が保護管に固定されていないため、例えば地震により振動が発生すると、保持体が不測に傾動して保持体の下部が保護管の内壁に当接してしまい、水位計を損傷してしまうことがあり、改善の余地があった。
【０００６】
そこで、本発明は、投げ込み式水位計を保護管に投入するときや例えば地震発生時の振動によって、保護管の内壁に投げ込み式水位計が当接することがないように確実に保護することができる投げ込み式水位計の保護具を提供することを課題とする。
【課題を解決するための手段】
【０００７】
本発明は、少なくとも下端部が水中に浸かった状態で設置された保護管内に投入して水位を検出する検出部を有する本体と、前記検出部からの信号を伝達すべく前記本体に接続されるケーブルとを備えた投げ込み式水位計を保護するための投げ込み式水位計の保護具であって、前記本体を収容すべく一端に開口を備え、該開口から前記本体を挿入して収容すべく該本体の投入方向一端から他端の全長に亘る長さに構成され、かつ、水中への投入時に水の浸入を許容するように構成された収容部と、該収容部の長さ方向両端部のそれぞれに設けられ、該両端部から前記本体が収容部外へ移動することを阻止するための阻止部とを備えたことを特徴とする。
【０００８】
かかる構成によれば、投げ込み式水位計を保護具の収容部に収容して収容部から外部へ移動することを阻止部で阻止することによって、保護管内に投げ込み式水位計を保護具と一緒に投入することができる。この投入時には、保護管の内壁に保護具が当接しながら、保護管内を移動する。従って、保護管内へ投げ込み式水位計を投入するときや例えば地震発生時の振動によって、投込み式水位計が保護管の内壁に直接当接することがない。
【０００９】
また、本発明に係る投げ込み式水位計の保護具は、前記収容部が、本体の投入方向に長く、かつ、周方向に所定間隔を置いて配置される複数の長尺部材と、該複数の長尺部材を周方向で連結し、かつ、前記本体の収容を許容する大きさに構成されたリング部材とから構成されていてもよい。
【００１０】
上記のように、複数の長尺部材をリング部材により周方向で連結することによって、強度面において有利な保護具にすることができるだけでなく、リング部材によっても投込み式水位計を保護することができる。
【００１１】
また、本発明に係る投げ込み式水位計の保護具は、前記リング部材が、前記複数の長尺部材をそれらの長さ方向両端部でそれぞれ連結する端部用リング部材と、前記複数の長尺部材をそれらの長さ方向中間部で連結する中間部用リング部材とを備え、前記一方の阻止部が、前記一方の端部用リング部材に設けられ該一方の端部用リング部材の径方向内側に突出して前記収容される本体の一端部を受け止める受止部材からなり、前記他方の阻止部が、前記他方の端部用リング部材の内面に取り付けて前記収容される本体が前記収容部外へ移動しないように該リング部材の内径を小さくする取り外し可能な縮径部材からなっていてもよい。
【００１２】
上記のように、他方の阻止部が、他方の端部用リング部材の内面に着脱自在な縮径部材から構成されているので、収容されている投込み式水位計の本体を保護具から外部に出して清掃やメンテナンスを容易に行うことができる。
【００１３】
また、本発明に係る投げ込み式水位計の保護具は、前記本体のケーブル側端部の外径が、他の部分の外径よりも大きな寸法を有するように構成されており、前記本体を収容すべく前記各長尺部材における前記本体のケーブル側端部に対応する部分に内側に切欠かれた切欠部を備えていてもよい。
【００１４】
上記のように、複数の長尺部材における本体のケーブル側端部に対応する部分に内側に切欠かれた切欠部を備えることによって、保護具の強度低下を極力抑えながら、保護具が径方向外側に大型化することを抑制することができる。
【発明の効果】
【００１５】
以上のように、本発明によれば、投げ込み式水位計を保護具に収容して両者を一体化することができるので、投げ込み式水位計を保護管に投入するときや例えば地震発生時の振動によって、保護管の内壁に当接することがないように投げ込み式水位計を確実に保護することができる投げ込み式水位計の保護具を提供することができる。
【図面の簡単な説明】
【００１６】
【図１】（ａ）は本発明の一実施形態に係る保護具に投げ込み式水位計を収容して保護管に投げ込んだ状態の一部断面にした側面図、（ｂ）は（ａ）を上から見た平面図、（ｃ）は（ａ）を下から見た底面図である。
【図２】保護具に投げ込み式水位計を収容する直前の状態を示す分解斜視図である。
【図３】保護具を斜め上から見た上部と斜め下から見た下部とを示す斜視図である。
【発明を実施するための形態】
【００１７】
本発明に係る投げ込み式水位計の保護具を図面に基づいて説明する。図１には、保護具１に投げ込み式水位計２の本体３を収容して保護管Ｈに投げ込んだ状態が示されている。投げ込み式水位計２は、例えば原子力発電所の取水槽内の水位や、河川や貯水池の他、ダム等の水位を測るために、いろんな場所の水中（海中も含む）に配置されて使用されるものである。
【００１８】
保護管Ｈは、上下方向に長い円筒状（楕円筒状や角筒状でもよい）で金属製（コンクリート製でもよい）からなり、下端部が水中Ｗに浸かった状態で図示していない支持部材を介して固定されている。この保護管Ｈに投げ込み式水位計２を投入することによって、投げ込み式水位計２が保護管Ｈで保護される。
【００１９】
投げ込み式水位計２は、図１および図２に示すように、水位を検出する検出部Ｓ（図２にのみ図示している）を一端部に内蔵する本体３と、検出部Ｓからの信号を伝達すべく本体３の他端部に接続されるケーブル４とを備えている。
【００２０】
本体３は、外形が円形に構成され、かつ、全長に亘って同一径に構成された縦長の本体部３Ａと、本体部３Ａのケーブル側の開口端を閉じる蓋部３Ｂとを備えている。本体部３Ａの長さ方向一端には、検出部Ｓの受圧ダイアフラムが水圧を感知できるように開口３ａ（図１（ｃ）及び図３参照）が形成されている。蓋部３Ｂは、外形が円形で本体部３Ａよりも径が少し大きな蓋部本体３ｂと、この蓋部本体３ｂのケーブル側端に蓋部本体３ｂよりも径が小さな第１円筒部３ｃと、この第１円筒部３ｃからケーブル側に延びるとともに第１円筒部３ｃよりも更に径が小さな第２円筒部３ｄとを備えている。
【００２１】
保護具１は、本体３を収容すべく本体３の投入方向一端から他端に向かって延びて本体３の全長よりも少し長い長さに構成され、かつ、水中への投入時に水の浸入を許容するように構成された収容部５と、収容部５の長さ方向両端部のそれぞれに設けられ、両端部から本体３が収容部５外へ移動することを阻止するための２つの阻止部６，７とを備えている。ここでは、収容部５及び阻止部６，７を金属材料で構成しているが、金属材料と略同等の強度を有するものであれば、どのような材料で構成してもよい。
【００２２】
収容部５は、本体３の投入方向一端から他端の全長に亘るように構成され、周方向に所定間隔（等間隔）を置いて配置される複数（ここでは４つあるが、２つ上であれば何本でもよい）の長尺部材５Ａ（４つとも同一のものである）と、複数の長尺部材５Ａを周方向で連結し、かつ、本体３の収容を許容する大きさに構成された３個のリング部材５Ｂとから構成されている。
【００２３】
各長尺部材５Ａは、上下方向に長さを有する板状（棒状でもよい）のものからなり、リング部材５Ｂに径方向外側に突出するように溶接等により取り付けられている。また、各長尺部材５Ａの上下端の外面のそれぞれに端に向かうほど内側に位置する傾斜部５Ｚを備えている。この傾斜部５Ｚを備えることによって、保護管Ｈへ本体３が入った保護具１が投入される際に、保護管Ｈの中心と保護具１の中心とが多少ずれていても、傾斜部５Ｚに当たり、この傾斜部５Ｚの案内作用によって、保護管Ｈに対する保護具１の位置を修正しながら、保護具１を保護管Ｈへ確実に投入することができる。
【００２４】
各リング部材５Ｂは、４本の長尺部材５Ａをそれらの長さ方向両端部でそれぞれ連結する円環状の端部用リング部材５ｂと、４本の長尺部材５Ａをそれらの長さ方向中間部で連結する１個の円環状の中間部用リング部材５ｃとを備えている。ここでは、上側の端部用リング部材５ｂが、他のリング部材（中間部用リング部材５ｃと下側の端部用リング部材５ｂ）よりも一回り大きくなっている。これは、投込み式水位計２の蓋部本体３ｂの外形が本体部３Ａの外形よりも大きいからである。また、一方の阻止部６が、一方（図１（ａ）及び図２の最下方に位置する）の端部用リング部材５ｂの下端に溶接等により取り付けられて端部用リング部材５ｂの径方向内側に突出して収容された本体３の一端（下端）の外周縁を受け止める一対の受止部材６Ａ，６Ａからなっている。各受止部材６Ａは、略三日月（かまぼこ）状に形成され、前記本体部３Ａの下端の開口３ａを塞ぐことがないようにしている。他方の阻止部７が、他方（上側）の端部用リング部材５ｂの内面５ｇに取り付けて収容された本体３が収容部５外へ移動しないようにリング部材５ｂの内径を小さくする取り外し可能な一対の縮径部材７Ａ，７Ａからなっている。縮径部材７Ａ，７Ａは、端部用リング部材５ｂの内面５ｇに沿うように構成された２つの半割状で円弧状の板部材からなり、各縮径部材７Ａには、図１及び図３に示しているボルト８，８が螺合する左右一対の螺子孔７ａ，７ａが形成されている。他方の端部用リング部材５ｂには、全部で４本のボルト８を挿通可能な４個の貫通孔５Ｋが形成されている。
【００２５】
前記のように構成されている収容部５に、本体３を収容する手順について説明する。まず、図２に示すように収容部５の上端から本体３の検出部Ｓがある下端から挿入する。挿入すると、本体３の下端の外周縁が一対の受止部材６Ａ，６Ａに受け止められる。この状態から、上側の端部用リング部材５ｂの内面５ｇに貫通孔５Ｋ，５Ｋに螺子孔７ａ，７ａが一致するように各縮径部材７Ａを当て付け、その当て付けた状態でボルト８，８をそれぞれ貫通孔５Ｋ，５Ｋを通して螺子孔７ａ，７ａにねじ込むことによって、２つの縮径部材７Ａ，７Ａを上側の端部用リング部材５ｂに固定することができる。２つの縮径部材７Ａ，７Ａが上側の端部用リング部材５ｂに固定されると、本体３が上方へ移動しようとするときに、本体３の蓋部本体３ｂの上端３Ｕが端部用リング部材５ｂの下端５Ｄに当接してそれ以上の本体３の上方側への移動が阻止される。
【００２６】
前述したように本体３のケーブル側の他端部である蓋部３Ｂの外径が、他の部分である本体部３Ａの外径よりも大きな寸法を有するように構成されている。このため、本体３を収容可能となるように、各長尺部材５Ａにおける蓋部３Ｂに相当（対応）する部分（上端部）に内側に切欠かれた切欠部５ａが形成されている。各長尺部材５Ａの上端部（一部）のみの内側に切欠部５ａを形成することによって、長尺部材５Ａを全長に亘って同一厚みに構成した場合に比べて４本の長尺部材５Ａが径方向外側に突出することを抑制しながらも、本体部３Ａの外径よりも大きな寸法の蓋部３Ｂを収容することができる。
【００２７】
前述したように、投げ込み式水位計２を保護具１の収容部５に収容して収容部５から外部へ移動することを阻止部６，７で阻止することによって、保護管Ｈ内に投げ込み式水位計２を保護具１と一緒に投入することができる。この投入時に、保護管Ｈの内壁ｈに保護具１が当接しながら、保護管Ｈ内を移動する。従って、保護管Ｈ内へ投げ込み式水位計２を投入するときや例えば地震発生時の振動によって、投込み式水位計２の検出部Ｓが保護管Ｈの内壁ｈに直接当接して損傷することがない。
【００２８】
また、複数の長尺部材５Ａをリング部材５Ｂにより周方向で連結することによって、強度に優れた保護具１にすることができるだけでなく、リング部材５Ｂによっても投込み式水位計２を保護することができる。
【００２９】
また、他方の阻止部７が、他方の端部用リング部材５ｂの内面５ｇに着脱自在な縮径部材７Ａ，７Ａから構成されているので、収容されている投込み式水位計２を保護具１から外部に出して清掃やメンテナンスを容易に行うことができる。
【００３０】
更にまた、複数の長尺部材５Ａにおける本体３のケーブル側端部に対応する部分に内側に切欠かれた切欠部５ａを備えることによって、保護具１の強度低下を極力抑えながら、保護具１が径方向外側に大型化することを抑制することができる。
【００３１】
なお、本発明に係る投げ込み式水位計の保護具は、上記実施形態に限定されるものではなく、本発明の要旨を逸脱しない範囲内において、種々変更することができる。
【００３２】
例えば、２つの縮径部材７Ａ，７Ａを用いたが、１つのリング状の縮径部材を設けてもよい。この場合、１つの縮径部材をボルトでリング部材５Ｂに固定する他、リング部材５Ｂと縮径部材との間に係脱自在な係止機構を設けて、係止機構によりリング部材５Ｂに対して取り付ける、又は取り外すようにしてもよい。
【００３３】
上記実施形態では、収容部５を、複数の長尺部材５Ａとこれらを連結する複数個のリング部材５Ｂとから構成したが、水の浸入を許容するための多数の孔が形成された円筒状部材から構成することもできる。この円筒状部材の両端開口部に本体が収容部外へ移動することを阻止するための阻止部を備えて実施することになる。
【００３４】
また、上記実施形態では、本体３を収容すべく各長尺部材５Ａにおける本体３のケーブル側端部に対応する部分に内側に切欠かれた切欠部５ａを備えたが、切欠部５ａの無い全長に亘って同一幅を有する長尺部材であってもよい。
【符号の説明】
【００３５】
１…保護具、２…投げ込み式水位計、３…本体、３Ａ…本体部、３Ｂ…蓋部、３Ｕ…上端、３ａ…開口、３ｂ…蓋部本体、３ｃ…第１円筒部、３ｄ…第２円筒部、４…ケーブル、５…収容部、５Ａ…長尺部材、５Ｂ…リング部材、５Ｄ…下端、５Ｋ…貫通孔、５Ｚ…傾斜部、５ａ…切欠部、５ｂ…端部用リング部材、５ｃ…中間部用リング部材、５ｇ…内面、６，７…阻止部、６Ａ…受止部材、７Ａ…縮径部材、７ａ…螺子孔、８…ボルト、Ｈ…保護管、ｈ…内壁、Ｓ…検出部、Ｗ…水中
【要約】
【課題】投げ込み式水位計を保護管に投入するときや例えば地震発生時の振動によって、保護管の内壁に投げ込み式水位計が当接することがないように確実に保護することができる投げ込み式水位計の保護具を提供する。
【解決手段】投げ込み式水位計の保護具は、本体３を収容すべく本体３の投入方向一端から他端の全長に亘る長さに構成され、かつ、水中への投入時に水の浸入を許容するように構成された収容部５と、収容部５の長さ方向両端部のそれぞれに設けられ、両端部から本体３が収容部外へ移動することを阻止するための阻止部６，７とを備えている。
【選択図】図１【図１】
0005941172.tif 000002
【図２】
0005941172.tif 000003
【図３】
0005941172.tif 000004